(57)【要約】【課題】学習者のリスニング能力に応じた語学学習を可能とする語学学習用コンテンツ配信システム、語学学習用コンテンツ生成装置、および、語学学習用コンテンツ再生プログラムを提供する。【解決手段】語学学習用コンテンツ配信システム１は、テキストデータを含んだテキストファイル、および、テキストデータに対応する音声データを含んだ音声ファイルを取得するデータファイル取得装置１０と、音声ファイルを分割することで複数の分割音声ファイルを生成するとともに、テキストファイルおよび複数の分割音声ファイルを含んだアーカイブファイルを語学学習用コンテンツとして生成する語学学習用コンテンツ生成装置２０と、ネットワークを介して語学学習用コンテンツを配信するコンテンツ配信装置３０とを備えることを特徴とする。【選択図】図１
2016206591.tif 000002
【特許請求の範囲】
【請求項１】
テキストデータを含んだテキストファイル、および、前記テキストデータに対応する音声データを含んだ音声ファイルを取得するデータファイル取得装置と、
前記音声ファイルを分割することで複数の分割音声ファイルを生成するとともに、前記テキストファイルおよび複数の前記分割音声ファイルを含んだアーカイブファイルを語学学習用コンテンツとして生成する語学学習用コンテンツ生成装置と、
ネットワークを介して前記語学学習用コンテンツを配信するコンテンツ配信装置とを備える
ことを特徴とする語学学習用コンテンツ配信システム。
【請求項２】
テキストデータを含んだテキストファイルと、前記テキストデータに対応する音声データを含んだ音声ファイルとから、語学学習用コンテンツを生成する語学学習用コンテンツ生成装置であって、
前記音声データの音量に基づいて、前記音声データを複数の分割音声データに分割して、当該分割音声データを含んだ複数の分割音声ファイルを生成する分割音声ファイル生成部と、
前記テキストファイルおよび複数の前記分割音声ファイルを含んだアーカイブファイルを前記語学学習用コンテンツとして生成するコンテンツ生成部とを備える
ことを特徴とする語学学習用コンテンツ生成装置。
【請求項３】
テキストを出力する表示部と、音声を出力する音声出力部と、学習者の操作が入力される入力部とを備えた情報端末に、テキストファイルと当該テキストファイルに対応する複数の分割音声ファイルとを含む語学学習用コンテンツを再生させる語学学習用コンテンツ再生プログラムであって、
前記情報端末を、
前記テキストファイルに含まれるテキストデータを、前記表示部を介して出力させる表示制御手段、
音声の出力態様を規定する複数のプレイモードからなるプレイモード群から任意のプレイモードを、前記学習者に前記入力部を介して選択させるプレイモード選択手段、
複数の前記分割音声ファイルの各々に含まれる分割音声データを、前記学習者によって選択されたプレイモードに応じた態様で、前記音声出力部を介して出力させる音声出力制御手段として機能させる
ことを特徴とする語学学習用コンテンツ再生プログラム。
【請求項４】
複数の前記プレイモードは、連続プレイモードと、反復プレイモードと、一時停止後手動開始プレイモードと、一時停止後自動開始プレイモードとを含み、
前記学習者によって前記連続プレイモードが選択されると、複数の前記分割音声データを連続して出力させ、
前記学習者によって前記反復プレイモードが選択されると、複数の前記分割音声データの各々を複数回ずつ出力させ、
前記学習者によって前記一時停止後手動開始プレイモードが選択されると、複数の前記分割音声データを、１つの前記分割音声データの出力が完了した後に前記学習者の指示を受けて他の前記分割音声データの出力が開始されるように出力させ、
前記学習者によって前記一時停止後自動開始プレイモードが選択されると、複数の前記分割音声データを、１つの前記分割音声データの出力が完了した後に当該分割音声データの音声長さに応じた時間をおいて他の前記分割音声データの出力が開始されるように出力させる
ことを特徴とする請求項３に記載の語学学習用コンテンツ再生プログラム。
【請求項５】
データを記憶する記憶部をさらに備えた前記情報端末を、
前記学習者によって前記入力部を介して入力されたコメントデータを、前記分割音声データに関連付けて前記記憶部に記憶させる記憶制御手段として機能させ、
前記分割音声データの出力に合わせて、当該分割音声データに関連付けられた前記コメントデータを、前記表示部を介して出力させる
ことを特徴とする請求項３または４に記載の語学学習用コンテンツ再生プログラム。
【発明の詳細な説明】
【技術分野】
【０００１】
本発明は、英語等の外国語の学習に供される語学学習用コンテンツ配信システム、語学学習用コンテンツ生成システム、および、語学学習用コンテンツ再生プログラムに関するものである。
【背景技術】
【０００２】
特許文献１に記載されるように、語学学習の利便性を高めるために、語学学習用コンテンツを、ネットワークを介して学習者の情報端末に配信することが知られている。語学学習用コンテンツとしては、例えば、過去の語学試験でリスニング問題として出題された内容の音声データを含む音声ファイルがある。
【先行技術文献】
【特許文献】
【０００３】
【特許文献１】特開２００２−１４６０８号公報
【発明の概要】
【発明が解決しようとする課題】
【０００４】
しかし、リスニング問題に含まれる音声が長いときには、リスニング能力の低い学習者は、長文のテキストに対応する音声の全文を十分に把握することができない場合や、音声を繰り返し聞かなければ内容を理解することができない場合がある。すなわち、従来の語学学習用コンテンツは、リスニング能力の低い学習者のコンテンツとしては不適切な面があった。
【０００５】
本発明は、上記事情に鑑みてなされたものであって、学習者のリスニング能力に応じた語学学習を可能とする語学学習用コンテンツ配信システム、語学学習用コンテンツ生成装置、および、語学学習用コンテンツ再生プログラムを提供することを課題とする。
【課題を解決するための手段】
【０００６】
上記課題を解決するため、請求項１に記載の語学学習用コンテンツ配信システムは、テキストデータを含んだテキストファイル、および、前記テキストデータに対応する音声データを含んだ音声ファイルを取得するデータファイル取得装置と、前記音声ファイルを分割することで複数の分割音声ファイルを生成するとともに、前記テキストファイルおよび複数の前記分割音声ファイルを含んだアーカイブファイルを語学学習用コンテンツとして生成する語学学習用コンテンツ生成装置と、ネットワークを介して前記語学学習用コンテンツを配信するコンテンツ配信装置とを備えることを特徴とする。
【０００７】
請求項２に記載の語学学習用コンテンツ生成装置は、テキストデータを含んだテキストファイルと、前記テキストデータに対応する音声データを含んだ音声ファイルとから、語学学習用コンテンツを生成する語学学習用コンテンツ生成装置であって、前記音声データの音量に基づいて、前記音声データを複数の分割音声データに分割して、当該分割音声データを含んだ複数の分割音声ファイルを生成する分割音声ファイル生成部と、前記テキストファイルおよび複数の前記分割音声ファイルを含んだアーカイブファイルを前記語学学習用コンテンツとして生成するコンテンツ生成部とを備えることを特徴とする。
【０００８】
請求項３に記載の語学学習用コンテンツ再生プログラムは、テキストを出力する表示部と、音声を出力する音声出力部と、学習者の操作が入力される入力部とを備えた情報端末に、テキストファイルと当該テキストファイルに対応する複数の分割音声ファイルとを含む語学学習用コンテンツを再生させる語学学習用コンテンツ再生プログラムであって、前記情報端末を、前記テキストファイルに含まれるテキストデータを、前記表示部を介して出力させる表示制御手段、音声の出力態様を規定する複数のプレイモードからなるプレイモード群から任意のプレイモードを、前記学習者に前記入力部を介して選択させるプレイモード選択手段、複数の前記分割音声ファイルの各々に含まれる分割音声データを、前記学習者によって選択されたプレイモードに応じた態様で、前記音声出力部を介して出力させる音声出力制御手段として機能させることを特徴とする。
【０００９】
請求項４に記載の語学学習用コンテンツ再生プログラムは、請求項３に記載の語学学習用コンテンツ再生プログラムにおいて、複数の前記プレイモードは、連続プレイモードと、反復プレイモードと、一時停止後手動開始プレイモードと、一時停止後自動開始プレイモードとを含み、前記学習者によって前記連続プレイモードが選択されると、複数の前記分割音声データを連続して出力させ、前記学習者によって前記反復プレイモードが選択されると、複数の前記分割音声データの各々を複数回ずつ出力させ、前記学習者によって前記一時停止後手動開始プレイモードが選択されると、複数の前記分割音声データを、１つの前記分割音声データの出力が完了した後に前記学習者の指示を受けて他の前記分割音声データの出力が開始されるように出力させ、前記学習者によって前記一時停止後自動開始プレイモードが選択されると、複数の前記分割音声データを、１つの前記分割音声データの出力が完了した後に当該分割音声データの音声長さに応じた時間をおいて他の前記分割音声データの出力が開始されるように出力させることを特徴とする。
【００１０】
請求項５に記載の語学学習用コンテンツ再生プログラムは、請求項３または４に記載の語学学習用コンテンツ再生プログラムにおいて、データを記憶する記憶部をさらに備えた前記情報端末を、前記学習者によって前記入力部を介して入力されたコメントデータを、前記分割音声データに関連付けて前記記憶部に記憶させる記憶制御手段として機能させ、前記分割音声データの出力に合わせて、当該分割音声データに関連付けられた前記コメントデータを、前記表示部を介して出力させることを特徴とする。
【発明の効果】
【００１１】
本発明によれば、学習者のリスニング能力に応じた語学学習が可能となる語学学習用コンテンツ配信システム、語学学習用コンテンツ生成装置、および、語学学習用コンテンツ再生プログラムを提供することができる。
【図面の簡単な説明】
【００１２】
【図１】本発明の一実施形態に係る語学学習用コンテンツ配信システムの概略構成図である。
【図２】（Ａ）は、同実施形態に係るテキストファイルおよび音声ファイルおよびアーカイブファイルの概念図であり、（Ｂ）は、テキストデータおよび音声データおよび分割音声データの概念図である。
【図３】同実施形態に係る語学学習用コンテンツ生成装置の概略構成図である。
【図４】同実施形態に係る語学学習用コンテンツの生成工程を示すフローチャートである。
【図５】同実施形態に係る音声データの波形図の一例である。
【図６】（Ａ）および（Ｂ）は、同実施形態に係る情報端末の概略構成図である。
【図７】同実施形態に係る語学学習用コンテンツの再生工程を示すフローチャートである。
【図８】（Ａ）は、情報端末の表示部に表示されるコンテンツ選択画面の一例であり、（Ｂ）は、情報端末の表示部に表示されるプレイモード選択画面の一例である。
【図９】（Ａ）は、情報端末の表示部に表示される音声再生中のコンテンツ再生画面の一例であり、（Ｂ）は、情報端末の表示部に表示される音声一時停止中のコンテンツ再生画面の一例である。
【発明を実施するための形態】
【００１３】
図面を参照して、本発明の一実施形態である語学学習用コンテンツ配信システム１を説明する。
図１に示すように、語学学習用コンテンツ配信システム１は、データファイル取得装置１０と、語学学習用コンテンツ生成装置２０と、コンテンツ配信装置３０と、情報端末４０と、ネットワーク５０とを備える。以下において、データファイル取得装置１０は「ファイル取得装置１０」といい、語学学習用コンテンツ生成装置２０は「コンテンツ生成装置２０」という。
【００１４】
ファイル取得装置１０は、一般のＰＣにより構成されている。ファイル取得装置１０は、テキストデータを含んだテキストファイル、および、そのテキストデータに対応する音声データを含んだ音声ファイルを取得する。ファイル取得装置１０は、例えば、ＯＣＲによる書面上のテキストの認識、ＣＤ等のデータ記録媒体に記録されたデータの読み込み、または、キーボードを用いた入力作業者によるテキストの入力によって、テキストファイルを取得する。また、ファイル取得装置１０は、例えば、ＣＤ等のデータ記録媒体に記録されたデータの読み込み、または、マイクを用いた入力作業者による音声の入力によって、音声ファイルを取得する。ファイル取得装置１０は、取得したテキストファイルの形式が、語学学習用コンテンツに適切な形式でないとき、テキストファイルのファイル形式を変換する。例えば、ファイル取得装置１０は、テキストファイルの形式がＤＯＣ形式であるとき、テキストファイルの形式をＨＴＭＬ形式に変換する。ファイル取得装置１０は、取得したテキストファイルおよび音声ファイルをコンテンツ生成装置２０に送信する。また、ファイル取得装置１０は、コンテンツ生成装置２０から送信された語学学習用コンテンツを受信し、受信した語学学習用コンテンツをコンテンツ配信装置３０にネットワーク５０を介して送信する。
【００１５】
コンテンツ生成装置２０は、ファイル取得装置１０と異なるハードウェアである業務用ＰＣにより構成されている。コンテンツ生成装置２０は、ファイル取得装置１０が送信したテキストファイルおよび音声ファイルを受信し、これらのファイルから生成した語学学習用コンテンツをファイル取得装置１０に送信する。コンテンツ生成装置２０は、音声ファイルを分割することで複数の分割音声ファイルを生成するとともに、テキストファイルおよび複数の分割音声ファイルを含んだアーカイブファイルを語学学習用コンテンツとして生成する。語学学習用コンテンツに係るファイルについては、図２を参照して後述する。また、語学学習用コンテンツの詳しい生成工程については、図４を参照して後述する。
【００１６】
コンテンツ配信装置３０は、語学学習用コンテンツの情報端末４０へのダウンロード時に、ネットワーク５０を介して情報端末４０に接続されるサーバーにより構成されている。コンテンツ配信装置３０は、ファイル取得装置１０が送信した複数の語学学習用コンテンツを受信し、任意のタイミングで情報端末４０に語学学習用コンテンツを送信できるように保持する。コンテンツ配信装置３０は、情報端末４０からの要求に応じて、保持している語学学習用コンテンツを情報端末４０にネットワーク５０を介して送信する。また、コンテンツ配信装置３０は、後述する語学学習用コンテンツ再生プログラム（以下「再生プログラム」という）を保持し、情報端末４０からの要求に応じて、保持している再生プログラムを情報端末４０にネットワーク５０を介して送信する。なお、語学学習用コンテンツは、再生プログラムのファイルに含まれていてもよく、再生プログラムのファイルとは別のファイルであってもよい。
【００１７】
情報端末４０は、電話機能を有する携帯型多機能端末により構成され、例えば、スマートフォンやタブレットである。情報端末４０は、ネットワーク５０を介して受信した再生プログラムを実行することにより、同じくネットワーク５０を介して受信した語学学習用コンテンツを再生する。これによって、情報端末４０の使用者である学習者は、視覚および聴覚を通じて英語等の外国語を学習する。
【００１８】
ネットワーク５０は、インターネットおよび移動体通信網を含む広域通信網により構成されている。情報端末４０が、移動体通信網を介さずにネットワーク５０に接続している状態では、インターネットを介してコンテンツ配信装置３０と情報端末４０とが接続される。また、情報端末４０が、移動体通信網を介してネットワーク５０に接続している状態では、インターネットおよび移動体通信網を介してコンテンツ配信装置３０と情報端末４０とが接続される。
【００１９】
図２（Ａ）に示すように、語学学習用コンテンツのアーカイブファイルは、ファイル取得装置１０が送信した２つのデータファイルから生成される。アーカイブファイルの元データを含むデータファイルは、例えば、ＨＴＭＬ形式のテキストファイルとＷＭＡ形式の音声ファイルの２つのデータファイルである。アーカイブファイルは、例えば、ＺＩＰ形式のアーカイブファイルであって、当該アーカイブファイルには、ＨＴＭＬ形式のテキストファイルと、ＭＰ３形式の複数の分割音声ファイルとがデータ圧縮されて含まれる。図２（Ｂ）に示すように、テキストファイルに含まれるテキストデータは、例えば、会話文の文字列のデータであって、音声ファイルに含まれる音声データは、当該会話文の音声のデータである。また、分割音声ファイルに含まれる分割音声データは、音声データから抽出されたデータであって、例えば、会話文において話者で区切られた音声のデータである。以下、分割音声データに対応するテキストを「文節」という。
【００２０】
図３を参照して、コンテンツ生成装置２０の概略構成を説明する。
図３に示すように、コンテンツ生成装置２０は、ファイル受信部２１と、分割音声ファイル生成部２２と、コンテンツ生成部２３と、ファイル送信部２４とを備えている。
【００２１】
ファイル受信部２１およびファイル送信部２４は、通信用インターフェースにより構成されている。ファイル受信部２１は、テキストファイルおよび音声ファイルを受信し、ファイル送信部２４は、アーカイブファイルを送信する。
【００２２】
分割音声ファイル生成部２２およびコンテンツ生成部２３は、語学学習用コンテンツ生成プログラムを実行する集積回路により構成されている。分割音声ファイル生成部２２は、音声ファイルに含まれる音声データの音量に基づいて、音声データを複数の分割音声データに分割して、分割音声データを含んだ複数の分割音声ファイルを生成する。コンテンツ生成部２３は、テキストファイルおよび複数の分割音声ファイルを含んだアーカイブファイルを生成する。
【００２３】
図４を参照して、コンテンツ生成装置２０が行う語学学習用コンテンツ生成処理の流れ、および、分割音声ファイル生成部２２とコンテンツ生成部２３の詳細な動作を説明する。語学学習用コンテンツ生成処理は、ファイル受信部２１がテキストファイルおよび音声ファイルを受信し、語学学習用コンテンツ生成プログラムが実行されることによりスタートする。
【００２４】
図４に示すように、まず、分割音声ファイル生成部２２は、ファイル受信部２１で受信した音声ファイルの形式が、データ解析に適切な形式でないとき、音声ファイルのファイル形式を変換する（ステップＳ１）。ステップＳ１では、分割音声ファイル生成部２２は、例えば、受信した音声ファイルの形式がＷＭＡ形式であるとき、音声ファイルの形式をＷＡＶ形式に変換する。
【００２５】
次いで、分割音声ファイル生成部２２は、音声ファイルに含まれる音声データのダウンサンプリングを行う（ステップＳ２）。ステップＳ２では、分割音声ファイル生成部２２は、例えば、サンプリング周波数が４４．１ｋＨｚの音声データを、その１／１００のサンプリング周波数に下げる変換を行う。
【００２６】
次いで、分割音声ファイル生成部２２は、音声データを解析し（ステップＳ３）、ステップＳ３での音声データの解析結果に基づくメタデータを生成する（ステップＳ４）。ステップＳ３では、分割音声ファイル生成部２２は、音声データの音量を解析することによって、音声データにおいて分割音声データとなる複数の領域を判定する。分割音声データとなる領域については、図５を参照して後述する。ステップＳ４で生成されるメタデータには、音声データに含まれる複数の分割音声データとなる複数の領域の各々の開始時間および終了時間が含まれる。
【００２７】
次いで、分割音声ファイル生成部２２は、ステップＳ４で生成したメタデータを参照したコンテンツ生成者からの要求に応じて、メタデータを書き換える（ステップＳ５）。すなわち、ステップＳ５では、ステップＳ３での音声データの解析結果が好ましくない場合には、音声データにおいて分割音声データとなる領域が編集される。メタデータの編集は、例えば、ファイル取得装置１０に接続された入力装置を介して入力されるコンテンツ生成者の指示に基づいて行われる。
【００２８】
次いで、分割音声ファイル生成部２２は、メタデータに基づいて、複数の分割音声ファイルを生成する（ステップＳ６）。ステップＳ６では、例えば、音声データから第１〜第Ｎの分割音声データ（「Ｎ」は、２以上の自然数である。以下同じ）を抽出し、分割音声データの各々に対応するＭＰ３形式のＮ個の分割音声ファイルを生成する。
【００２９】
そして、コンテンツ生成部２３は、テキストファイルおよび複数の分割音声ファイルを含むアーカイブファイルを生成する（ステップＳ７）。ステップＳ７では、コンテンツ生成部２３は、例えば、ＺＩＰ形式のアーカイブファイルを生成する。生成されたアーカイブファイルは、ファイル送信部２４から語学学習用コンテンツとして送信される。
【００３０】
図５に示すように、分割音声ファイル生成部２２は、音声データにおいて、音量が所定の文節境界レベルよりも大きくなる領域のうち、所定の文節判定レベルよりも大きい音量を含んだ領域を、分割音声データの領域とする。したがって、音量が文節境界レベルよりも大きくなった場合であっても、文節判定レベルよりも小さい領域は、分割音声ファイル生成部２２によって、分割音声データの領域として判定されない。文節境界レベルは、文節判定レベルよりも小さい。また、文節境界レベルおよび文節判定レベルは、音声データの音量に応じて自動または手動で適宜変更される。こうして、音声ファイルに含まれる音声データは、音声データに対応するテキストデータの文節毎に区切られて、テキストデータの文節毎に、当該文節に対応する分割音声データを含んだ分割音声ファイルが生成される。
【００３１】
図６を参照して、情報端末４０の概略構成を説明する。図６（Ａ）は、語学学習用コンテンツおよび再生プログラムのダウンロード時において機能する主な構成を示している。また、図６（Ｂ）は、再生プログラムの実行時である語学学習用コンテンツの再生時において機能する主な構成を示している。
図６に示すように、情報端末４０は、受信部４１と、プログラム実行部４２と、記憶部４３と、表示部４４と、音声出力部４５と、入力部４６とを備えている。
【００３２】
受信部４１は、無線通信用インターフェースにより構成されている。受信部４１は、語学学習用コンテンツ再生プログラム（以下「再生プログラム」という）と、語学学習用コンテンツとしてのアーカイブファイルとを受信する。
【００３３】
プログラム実行部４２は、予めインストールされているダウンロードプログラムを実行することにより、受信部４１で再生プログラムを受信させ、受信部４１で受信した再生プログラムを記憶部４３に記憶させる。そして、プログラム実行部４２は、記憶部４３に記憶された再生プログラムを実行する。プログラム実行部４２は、再生プログラム、および、入力部４６に入力された操作に基づいて、情報端末４０の各部４３〜４５を制御する。再生プログラムが実行されることにより、情報端末４０は、コンテンツ取得手段、表示制御手段、プレイモード選択手段、音声出力制御手段、記憶制御手段として機能する。また、プログラム実行部４２は、受信部４１で受信したアーカイブファイルを展開することにより、テキストファイルと複数の分割音声ファイルとを取得する。
【００３４】
記憶部４３は、データを記憶する半導体メモリにより構成されている。記憶部４３は、受信部４１で受信した再生プログラムおよびアーカイブファイルを記憶する。また、記憶部４３は、学習者によって、入力部４６を介して入力されたコメントデータを、分割音声ファイルに含まれる分割音声データに関連付けて記憶する。
【００３５】
表示部４４は、テキスト等の画像を出力するディスプレイにより構成されている。表示部４４は、テキストファイルに含まれるテキストデータを表示する。表示部４４にテキストデータに含まれるテキスト全体が収まらない場合は、表示部４４は、当該テキスト全体のうち当該表示部４４に収まる一部分を表示し、当該テキスト全体のうち当該表示部４４に収まりきらない部分は、入力部４６の操作に応じてテキストをスクロールさせることによって表示する。また、表示部４４は、コメントデータに含まれるテキストデータを表示する。
【００３６】
音声出力部４５は、音声を出力するスピーカーにより構成されている。音声出力部４５は、分割音声ファイルの各々に含まれる分割音声データを出力する。分割音声データの出力態様は、学習者によって選択されるプレイモードに応じて変更される。
【００３７】
入力部４６は、表示部４４と組み合わせられた入力装置であるタッチパネルにより構成されている。学習者が、表示部４４に表示された画面を指で触れることによって、入力部４６に、学習者から操作が入力される。
【００３８】
図７を参照して、情報端末４０が行う語学学習用コンテンツ再生処理の流れ、および、プログラム実行部４２等の詳細な動作を説明する。語学学習用コンテンツ再生処理は、記憶部４３にアーカイブファイルが記憶された状態で、再生プログラムが実行されることによりスタートする。
【００３９】
図７に示すように、まず、プログラム実行部４２は、再生する語学学習用コンテンツを学習者に選択させるために、コンテンツ選択画面を表示部４４に表示させる（ステップＳ１１）。コンテンツ選択画面については、図８（Ａ）を参照して後述する。
【００４０】
次いで、プログラム実行部４２は、複数のプレイモードからなるプレイモード群から任意のプレイモードを学習者に選択させるために、プレイモード選択画面を表示部４４に表示させる（ステップＳ１２）。プレイモード選択画面については、図８（Ｂ）を参照して後述する。複数のプレイモードは、下記の４つのプレイモードを含んでいる。各プレイモードは、音声の出力態様を規定する。
・連続プレイモード（以下、「Listen Onceモード」という）
・反復プレイモード（以下、「Listen Twiceモード」という）
・一時停止後手動開始プレイモード（以下、「Listen & Stopモード」という）
・一時停止後自動開始プレイモード（以下、「Listen & Repeatモード」という）
【００４１】
そして、プログラム実行部４２は、ステップＳ１１で選択された語学学習用コンテンツを、ステップＳ１２で選択されたプレイモードに応じて再生する（ステップＳ１３）。ステップＳ１３では、プログラム実行部４２は、選択された語学学習用コンテンツに対応するアーカイブファイルに含まれるテキストデータに基づいて生成したコンテンツ再生画面を表示部４４に表示させるとともに、当該アーカイブファイルに含まれているＮ個の分割音声ファイルに含まれる分割音声データを音声出力部４５に出力させる。コンテンツ再生画面については、図９（Ａ）および図９（Ｂ）を参照して後述する。
【００４２】
ステップＳ１２でListen Onceモードが選択された場合には、ステップＳ１３で、プログラム実行部４２は、Ｎ個の分割音声ファイルの各々に含まれる分割音声データを、音声データの分割前の順番（すなわち、テキストデータの全テキストを読み上げる順番）で、連続して音声出力部４５に出力させる。すなわち、Listen Onceモードでは、第ｎ（「ｎ」は、１以上かつＮ未満の自然数である。以下同じ）の分割音声データが１回出力された後、所定の文節間隔時間をあけて、第（ｎ＋１）の分割音声データが出力される。
【００４３】
ステップＳ１２でListen Twiceモードが選択された場合には、ステップＳ１３で、プログラム実行部４２は、Ｎ個の分割音声ファイルの各々に含まれる分割音声データを、２回ずつ音声出力部４５に出力させる。すなわち、Listen Twiceモードでは、第ｎの分割音声データが１回出力された後、所定の文節間隔時間をあけて、再び第ｎの分割音声データが１回出力され、その後、所定の文節間隔時間をあけて、第（ｎ＋１）の分割音声データが出力される。
【００４４】
ステップＳ１２でListen & Stopモードが選択された場合には、ステップＳ１３で、プログラム実行部４２は、Ｎ個の分割音声ファイルの各々に含まれる分割音声データを、１つの分割音声データの出力が完了した後に学習者の指示を受けて次の分割音声データの出力が開始されるように出力させる。すなわち、Listen & Stopモードでは、第ｎの分割音声データが１回出力された後、音声の出力が停止され、次の分割音声データを再生させる指示が入力部４６を介して入力されたとき、第（ｎ＋１）の分割音声データが出力される。
【００４５】
ステップＳ１２でListen & Repeatモードが選択された場合には、ステップＳ１３で、プログラム実行部４２は、Ｎ個の分割音声ファイルの各々に含まれる分割音声データを、１つの分割音声データの出力が完了した後に当該分割音声データの音声長さに応じた時間をおいて次の分割音声データの出力が開始されるように出力させる。すなわち、Listen & Repeatモードでは、第ｎの分割音声データが１回出力された後、第ｎの分割音声データの音声長さにリピート時間倍率を乗じた時間と文節間隔時間とをあけて、第（ｎ＋１）の分割音声データが出力される。
【００４６】
図８および図９を参照して、表示部４４に表示される画面を説明するとともに、プログラム実行部４２によって制御される記憶部４３、表示部４４、および、音声出力部４５の動作を説明する。
【００４７】
図８（Ａ）に示すように、コンテンツ選択画面には、コンテンツ選択ボタン５１Ａ〜５１Ｇ、文節間隔時間変更ボタン５２、リピート時間倍率変更ボタン５３、および、終了ボタン５４のグラフィックが含まれている。コンテンツ選択ボタン５１Ａ〜５１Ｇは、それぞれ、再生可能な語学学習用コンテンツであるアーカイブファイルを示している。学習者がコンテンツ選択ボタン５１Ａ〜５１Ｇのいずれかに触れると、当該ボタン５１Ａ〜５１Ｇの１つに応じた語学学習用コンテンツが選択される。学習者が文節間隔時間変更ボタン５２に触れると、文節間隔時間を学習者に選択させるための画面（図示略）が表示され、入力部４６を介した学習者からの入力に応じて、任意の文節間隔時間が設定される。設定された文節時間間隔は、Listen OnceモードおよびListen TwiceモードおよびListen & Repeatモードで有効である。また、学習者がリピート時間倍率変更ボタン５３に触れると、リピート時間倍率を学習者に選択させるための画面（図示略）が表示され、入力部４６を介した学習者からの入力に応じて、任意のリピート時間倍率が設定される。設定されたリピート時間倍率は、Listen & Repeatモードで有効である。学習者が終了ボタン５４に触れると、再生プログラムは終了する。
【００４８】
図８（Ｂ）に示すように、プレイモード選択画面には、Listen Onceモード選択ボタン５５Ａ、Listen Twiceモード選択ボタン５５Ｂ、Listen & Stopモード選択ボタン５５Ｃ、Listen & Repeatモード選択ボタン５５Ｄ、および、戻るボタン５６のグラフィック、並びに、ボタン機能の説明文７１が含まれている。学習者がListen Onceモード選択ボタン５５Ａ〜５５Ｄのいずれかに触れると、プレイモードが選択される。学習者が戻るボタン５６に触れると、再生する語学学習用コンテンツを学習者に再度選択させるために、コンテンツ選択画面が表示される。
【００４９】
図９（Ａ）に示すように、音声再生中のコンテンツ再生画面には、戻るボタン６１、および、一時停止ボタン６２のグラフィック、並びに、コメント欄７２、並びに、テキストファイルに含まれるテキストデータの文字列７３が含まれる。学習者が戻るボタン６１に触れると、プレイモードを学習者に再度選択させるために、プレイモード選択画面が表示される。学習者が一時停止ボタン６２に触れると、音声の出力が停止され、図９（Ｂ）に示す音声一時停止中のコンテンツ再生画面が表示される。また、記憶部４３にコメントデータが予め記憶されている場合には、分割音声データの再生中に、当該分割音声データに関連付けられているコメントデータが、表示部４４のコメント欄７２に表示される。また、Listen & Stopモードが選択されている場合に、学習者がコメント欄７２に触れると、コメントを学習者に入力させるための画面（図示略）が表示され、入力部４６を介した学習者からの入力に応じて、入力された学習者のコメントを含むコメントデータが、コメント欄７２が触れられる直前に出力されていた分割音声データに関連付けられて記憶される。
【００５０】
図９（Ｂ）に示すように、音声一時停止中のコンテンツ再生画面には、戻るボタン６１、前文節再生ボタン６３、リピート再生ボタン６４、次文節再生ボタン６５、および、指定文節再生ボタン６６、並びに、コメント欄７２、並びに、テキストファイルに含まれるテキストデータの文字列７３が含まれる。学習者が前文節再生ボタン６３に触れると、前文節再生ボタン６３が触れられる直前に第（ｎ＋１）の分割音声データが出力されていた場合は、第ｎの分割音声データが出力される。学習者がリピート再生ボタン６４に触れると、リピート再生ボタン６４が触れられる直前に出力されていた分割音声データが再度出力される。学習者が次文節再生ボタン６５に触れると、次文節再生ボタン６５が触れられる直前に第ｎの分割音声データが出力されていた場合、第（ｎ＋１）の分割音声データが出力される。学習者が指定文節再生ボタン６６に触れると、再生する分割音声データを学習者に選択させる画面（図示略）が表示され、入力部４６を介した学習者からの入力に応じて、選択された第ｎの分割音声データが出力される。すなわち、テキストデータに含まれる指定の文節に対応する分割音声データが出力される。
【００５１】
本実施形態においては以下の効果が得られる。
（１）ファイル取得装置１０と、コンテンツ生成装置２０と、コンテンツ配信装置３０とを備えた語学学習用コンテンツ配信システム１によれば、複数の分割音声ファイルを含んだ語学学習用コンテンツを情報端末４０に配信することができる。このため、リスニング問題に含まれる音声が長いときであっても、リスニング能力の低い学習者は、１つの分割音声ファイルに対応する音声が繰り返し出力されたり、２つの分割音声ファイルに対応する音声の間に無音時間が設けられたりすることによって、音声の全文を十分に把握することや音声の内容を理解することが可能となる。したがって、学習者のリスニング能力に応じた語学学習が可能となる。さらに、繰り返し出力される音声に併せて学習者自らが文節を発声したり、２つの分割音声ファイルに対応する音声の間に設けられた無音時間に学習者自らが文節を記憶して発声したりすることによって、会話力を向上させることが可能となる。
【００５２】
（２）分割音声ファイル生成部２２と、コンテンツ生成部２３とを備えたコンテンツ生成装置２０によれば、複数の分割音声ファイルを含んだ語学学習用コンテンツを生成することができるため、当該語学学習用コンテンツを配信することで、上記（１）に記載の効果が得られる。
【００５３】
（３）情報端末４０を、表示制御手段、プレイモード選択手段、および、選択されたプレイモードに応じて動作する音声出力制御手段として機能させる再生プログラムによれば、各プレイモードに応じた分割音声データの出力が可能となるため、上記（１）に記載の効果が得られる。
【００５４】
（４）情報端末４０を、コメントデータを記憶するための記憶制御手段として機能させる再生プログラムによれば、学習者のリスニング能力に応じたプレイモードで分割音声データを出力させることによって、上記（１）に記載の効果が得られる。
【００５５】
（５）Listen & Repeatモードでは、所定の分割音声データが１回出力された後、当該分割音声データの音声長さに応じた時間をあけて、次の分割音声データが出力されるため、学習者が分割音声データの音声を発音するのに適した時間を設けることができる。
（６）分割音声データの出力に合わせて、当該分割音声データに関連付けられたコメントデータが出力されるため、文節毎の語学学習の利便性を高めることができる。
【００５６】
本発明は、上記実施形態に限定されるものではなく、上記構成を適宜変更することもできる。例えば、以下のように変更して実施することもでき、以下の変更を組み合わせて実施することもできる。
【００５７】
・ファイル取得装置１０とコンテンツ生成装置２０は、同一のハードウェアにより構成されていてもよい。すなわち、データファイル取得装置と語学学習用コンテンツ生成装置は、同じ装置であってもよい。また、データファイル取得装置または語学学習用コンテンツ生成装置が、コンテンツ配信装置を兼ねていてもよい。また、データファイル取得装置と語学学習用コンテンツ生成装置とコンテンツ配信装置は、同じ装置であってもよい。
【００５８】
・ファイル取得装置１０とコンテンツ生成装置２０とが、ネットワーク５０を介して接続されていてもよい。また、ファイル取得装置１０とコンテンツ配信装置３０とが、ネットワーク５０を介さずに直接接続されていてもよい。
【００５９】
・再生プログラムは、コンテンツ配信装置３０と異なる配信装置により配信されてもよい。すなわち、コンテンツ配信装置３０は、少なくとも語学学習用コンテンツを配信すればよく、語学学習用コンテンツと再生プログラムとは、互いに異なるサーバーにより配信してもよい。
【００６０】
・上記の反復プレイモードでは、分割音声データの各々は２回ずつ出力されたが、分割音声データの各々を任意の複数回ずつ出力させることもできる。また、４つのプレイモード群から１つまたは２つのプレイモードを省くこともでき、プレイモード群に５つ以上のプレイモードを含めることもできる。
【符号の説明】
【００６１】
１  語学学習用コンテンツ配信システム
１０  データファイル取得装置
２０  語学学習用コンテンツ生成装置
２２  分割音声ファイル生成部
２３  コンテンツ生成部
３０  コンテンツ配信装置
４０  情報端末
４３  記憶部
４４  表示部
４５  音声出力部
４６  入力部
【図１】
2016206591.tif 000003
【図２】
2016206591.tif 000004
【図３】
2016206591.tif 000005
【図４】
2016206591.tif 000006
【図５】
2016206591.tif 000007
【図６】
2016206591.tif 000008
【図７】
2016206591.tif 000009
【図８】
2016206591.tif 000010
【図９】
2016206591.tif 000011